(57)【特許請求の範囲】
【請求項１】
電気集塵装置の放電極を吊り下げるための吊りロッドを集塵対象となる被処理ガスのガス通路の天井板に貫通し、その貫通部で前記吊りロッドを囲繞するように前記天井板の下方に取付けられた円筒状のスツールの修繕部材であって、
前記スツールの下端部を引っ掛けるフック部と、
前記フック部を前記天井板に連結する連結杆部と、
前記連結杆部の前記天井板側端部に設けられて前記天井板を貫通する雄ねじ部と
を備えたことを特徴とする電気集塵装置のスツール修繕部材。
【請求項２】
請求項１に記載のスツール修繕部材を用いた電気集塵装置のスツール修繕方法であって、前記スツールの周囲で前記天井板に貫通穴を形成し、前記フック部を前記スツールの下端部に引っ掛けた状態で前記貫通穴に前記雄ねじ部を貫通し、その貫通した雄ねじ部の天井板より上部にナットを螺合して前記スツールを天井板に吊り下げることを特徴とする電気集塵装置のスツール修繕方法。
【請求項３】
前記雄ねじ部の天井板より下方にもナットを螺合し、前記天井板より上部で前記雄ねじ部に螺合したナットとで天井板を締め付けることを特徴とする請求項２に記載の電気集塵装置のスツール修繕方法。
【請求項４】
前記フック部と前記スツールの下端部とを一体的に固着したことを特徴とする請求項２又は３に記載の電気集塵装置のスツール修繕方法。
【発明の詳細な説明】
【技術分野】
【０００１】
本発明は、電気集塵装置のスツール修繕部材及びスツール修繕方法に関し、特に破損したスツールを交換することなく修繕するのに好適なものである。
【背景技術】
【０００２】
電気集塵装置は、被処理ガスのガス通路、一般的には煙道内に放電極を吊り下げ、煙道内を流れる被処理ガス中の粉塵やミストを帯電し、それらを集塵極に静電吸着して捕集するものである。この放電極は（一般的に集塵極も一緒に）吊りロッドによって煙道の天井板から吊り下げられている。この吊りロッドには、放電極に給電するための給電ケーブルが接続されているため、天井板に対しては電気的に絶縁された状態で吊り下げる必要がある。このような吊りロッドの天井板貫通部構造としては、例えば下記特許文献１に記載されるものがある。この吊りロッドの天井板貫通部構造としては、天井板の上面に上方が先細りの円錐台状の碍子を設置し、この円錐台状の碍子の上端部には碍子カバーを搭載する。吊りロッドは碍子カバーの中央部に貫通し、碍子カバーには通気穴を開設する。一方、天井板の下方には、吊りロッドを囲繞するように円筒状のスツールを取付ける。煙道内が負圧である場合には天井板の上方の一般に碍管室と呼ばれる室内が大気圧の状態で、煙道内が正圧である場合には天井板の上方の室内を加圧すると、通気穴からスツールを介して碍管室内の空気が煙道内に流入し、これにより吊りロッドの貫通部から煙道内の被処理ガスが碍管室側に流出するのを防止することができる。つまり、碍子、通気穴、スツールによって被処理ガスのシール構造が構成される。
【先行技術文献】
【特許文献】
【０００３】
【特許文献１】特開２００５−７４３３０号公報
【発明の概要】
【発明が解決しようとする課題】
【０００４】
ところで、煙道に流れる被処理ガスが腐食性のガスである場合、特にスツールの天井板側部分が切れるように破損することがある。スツールが破損してしまうと、被処理ガスのシール構造が欠損、破損したスツールが吊りロッドに接触し地絡してしまう。そのため、スツールが破損した場合には、これを修繕する必要があるが、スツールそのものを交換するには煙道に接続される設備を長時間停止しなければならない。この接続設備を長時間停止できない場合には、破損したスツールが吊りロッドに接触しないようにスツールを修繕する。この場合、従来は、スツールの下端部を吊り上げる杆状の修繕部材を用い、その修繕部材の下端部のフック部をスツールの下端部に引っ掛け、修繕部材の上端部を天井板に溶接している。しかしながら、この修繕作業では、修繕部材の上端部を天井板に溶接する作業がいわゆる上向き溶接であり、作業そのものが困難な上に、溶接による修繕部材、即ちスツールの固定性能も低い。
【０００５】
本発明は、上記のような問題点に着目してなされたものであり、修繕作業の作業性を改善すると共にスツールの固定性能の高い電気集塵装置のスツール修繕部材及びスツール修繕方法を提供することを目的とするものである。
【課題を解決するための手段】
【０００６】
上記課題を解決するために、発明の実施態様は、電気集塵装置の放電極を吊り下げるための吊りロッドを集塵対象となる被処理ガスのガス通路の天井板に貫通し、その貫通部で前記吊りロッドを囲繞するように前記天井板の下方に取付けられた円筒状のスツールの修繕部材であって、前記スツールの下端部を引っ掛けるフック部と、前記フック部を前記天井板に連結する連結杆部と、前記連結杆部の前記天井板側端部に設けられて前記天井板を貫通する雄ねじ部とを備えたことを特徴とする電気集塵装置のスツール修繕部材である。
【０００７】
また、前記スツール修繕部材を用いた電気集塵装置のスツール修繕方法であって、前記スツールの周囲で前記天井板に貫通穴を形成し、前記フック部を前記スツールの下端部に引っ掛けた状態で前記貫通穴に前記雄ねじ部を貫通し、その貫通した雄ねじ部の天井板より上部にナットを螺合して前記スツールを天井板に吊り下げることを特徴とする電気集塵装置のスツール修繕方法である。
【０００８】
また、前記雄ねじ部の天井板より下方にもナットを螺合し、前記天井板より上部で前記雄ねじ部に螺合したナットとで天井板を締め付ける。
また、前記フック部と前記スツールの下端部とを一体的に固着した。
【発明の効果】
【０００９】
発明の実施態様のスツール修繕部材及びスツール修繕方法によれば、スツールの下端部を引っ掛けるフック部、フック部を天井板に連結する連結杆部、連結杆部の天井板側端部に設けられて天井板を貫通する雄ねじ部を備える。そのため、スツールの周囲で天井板に貫通穴を形成し、フック部をスツールの下端部に引っ掛けた状態で貫通穴に雄ねじ部を貫通し、その貫通した雄ねじ部の天井板より上部にナットを螺合することにより、スツールを天井板に吊り下げることができる。その際、雄ねじ部に螺合するナットの位置を調整すれば、スツールの下端部の高さを調整することができるので、所望する固定強度でスツールを天井板に固定することができる。そのため、スツール修繕作業の作業性が向上し、しかもスツール固定性能も優れる。
【００１０】
また、雄ねじ部の天井板より下方にもナットを螺合し、天井板より上部で雄ねじ部に螺合したナットとで天井板を締め付ける。これにより、スツール固定性能がより一層向上する。
また、フック部とスツールの下端部とを一体的に固着した。破損したスツールは、内部の放電極吊りロッドによって帯電し、修繕部材のフック部とスツールの下端部との間に隙間が生じると、両者の間で放電が生じる。修繕部材のフック部とスツールの下端部を一体的に固着することにより、両者間の放電を回避することができる。
【図面の簡単な説明】
【００１１】
【図１】本発明のスツール修繕部材及びスツール修繕方法が適用された電気集塵装置の一例を示す概略構成図である。
【図２】図１の電気集塵装置の放電極の説明図である。
【図３】図２の放電極吊りロッドの貫通部構造の説明図である。
【図４】スツール破損箇所の説明図である。
【図５】本発明のスツール修繕部材及びスツール修繕方法の一実施形態を示す正面図である。
【図６】図５のスツール修繕部材及びスツール修繕方法の平面図である。
【図７】従来のスツール修繕部材及びスツール修繕方法の一例を示す正面図である。
【図８】図７のスツール修繕部材及びスツール修繕方法の平面図である。
【発明を実施するための形態】
【００１２】
次に、本発明の電気集塵装置のスツール修繕部材及びスツール修繕方法の一実施形態について図面を参照しながら説明する。図１は、本実施形態のスツール修繕部材及びスツール修繕方法が適用された電気集塵装置１の概略構成図である。この電気集塵装置１では、図の左方上部の入口煙道２からボイラの排ガスが被処理ガスとして流入し、図の右方下部の出口煙道３から排出される。この電気集塵装置１では、入口側の電気集塵区４と、出口側の電気集塵区５の２つの電気集塵区が連結されており、例えば入口側を一次、出口側を二次と呼ぶ。図の一次側電気集塵区４では放電極１０を、二次側電気集塵区５では集塵極１１を代表して記載しているが、何れの電気集塵区４，５でも放電極１０と集塵極１１は交互に配置されている。これらの放電極及び集塵極が収納されている一般にケーシング６と呼ばれる室内が、被処理ガスのガス通路、つまり煙道となっている。この煙道の上面は天井板７で区画され、この天井板７の上方に碍管室８が形成されている。碍管室８の底面、即ちケーシング（煙道）６の天井板７の上面には、多数の碍子９が配置され、これらの碍子９を貫通して吊りロッド１２が配置され、それらの吊りロッド１２によって放電極１０及び集塵極１１が吊り下げられている。
【００１３】
図２は、煙道、即ちケーシング６内に吊り下げられた放電極１０の説明図である。前述のように、電気集塵装置１では、ケーシング６内に吊り下げられた放電極１０に高電位を印加し、ケーシング６内を流れる被処理ガス中の粉塵やミストを帯電し、それらを集塵極１１に静電吸着して捕集するものである。捕集された粉塵は、例えば集塵極１１を叩くことによって落下し、収集される。放電極１０は、周知のように例えば方形の放電枠の内部にピアノ線状の放電線を例えば鉛直方向に多数張り巡らして構成される。この放電極１０は（一般的に集塵極１１も一緒に）吊りロッド１２によってケーシング６の天井板７から吊り下げられている。この吊りロッド１２には、放電極１０に給電するための図示しない給電ケーブルが接続されているため、天井板７に対しては電気的に絶縁された状態で吊り下げる必要がある。そのため、碍管室８の底面、即ちケーシング６の天井板７の上面に絶縁性の碍子９を設置し、その碍子９に吊りロッド１２を吊り下げる。
【００１４】
図３は、図２の吊りロッド１２の天井板貫通部構造の説明図である。この貫通部構造では、碍管室８内において、ケーシング６の天井板７の上面にフランジ付き円筒状の保護パッキン１３を載置し、その上方に、上方が先細りの円錐台状の碍子９を設置する。天井板７には、保護パッキン１３の内側に円穴１４が開設されている。円錐台状の碍子９の上端部は開口しており、この開口部に碍子カバー１５を搭載する。吊りロッド１２は、この碍子カバー１５の中央部に貫通し、吊りロッド１２の上端部の雄ねじにナット１６を二重に螺合して、いわゆるダブルナットで固定して吊り下げている。前記碍子カバー１５には通気穴１７を開設されている。また、前記円穴１４には、円筒状のスツール１８が差し込まれている。このスツール１８は、上端部のフランジ部を天井板７に引っ掛けることにより天井板７の下方に吊り下げられ、結果的に、天井板７の下方に、吊りロッド１２を囲繞するように円筒状のスツール１８が取付けられている。
【００１５】
前記碍子カバー１５の通気穴１７からスツール１８の内側を介してケーシング６内、つまり煙道内に外気を流入することで、煙道内の被処理ガスが外部に漏れないシール構造を構成することができる。煙道内が負圧である場合には碍管室８内が大気圧であっても、碍管室８内の外気が煙道内に流入してシール構造が構成される。一方、煙道内が正圧である場合には、碍管室８内を加圧することにより碍管室８内の外気が煙道内に流入してシール構造が構成される。本実施形態では、前記一次側電気集塵区４では、煙道内が正圧であるから碍管室８内を加圧し、被処理ガスのシール構造としている。一方、前記二次側電気集塵区５では、煙道内が負圧であるから碍管室８内を加圧することなく被処理ガスのシール構造が構成される。
【００１６】
ところで、ボイラの燃焼ガスは燃料の性状により被処理ガスが腐食性を有する。煙道内に流れる被処理ガスが腐食性のガスである場合、図４に示すように、特にスツール１８の天井板７側部分が、図に符号Ａで示すように、切れるように破損することがある。スツール１８が破損してしまうと、前述した被処理ガスのシール構造が欠損し、破損したスツールが高電位部に接触し、地絡事故を起こす。そのため、スツール１８が破損した場合には、これを修繕する必要があるが、スツール１８を破損していないものと交換するには火力発電機を長時間停止しなければならない。火力発電機を長時間停止できない場合には、破損したスツール１８が吊りロッド１２に接触しないようにスツール１８を修繕する。
【００１７】
図５は、本実施形態のスツール修繕部材及びスツール修繕方法を示す正面図、図６は、図５のスツール修繕部材及びスツール修繕方法の平面図である。本実施形態では、前述のように破損したスツール１８の下端部を引っ掛けてケーシング６の天井板７に吊り下げる。そのため、本実施形態のスツール修繕部材１９は、スツール１８の下端部を引っ掛けるフック部２０と、そのフック部２０を天井板７に連結する連結杆部２１と、その連結杆部２１の天井板７側端部に設けられて天井板７を貫通する雄ねじ部２２とを備える。本実施形態では、フック部２０と連結杆部２１は、同一の鋼製丸棒を湾曲させて形成されている。また、雄ねじ部２２は、前記フック部２０及び連結杆部２１とは別体の鋼製ねじ杆からなり、連結杆部２１の天井板７側端部、即ち上端部と雄ねじ部２２の下端部を鋼製円管部材２５に差し込み、それらを溶接などによって一体的に固着している。
【００１８】
このスツール修繕部材１９を用いてスツール１８を修繕する場合には、スツール１８の周囲で天井板７に貫通穴を形成し、フック部２０をスツール１８の下端部に引っ掛けた状態で貫通穴に雄ねじ部２２を貫通し、その貫通した雄ねじ部２２の天井板７より上部にナット２３を螺合してスツール１８をスツール修繕部材１９ごと天井板７に吊り下げる。スツール修繕部材１９によるスツール１８の吊り下げ状態は、雄ねじ部２２へのナット２３の締めしろを調整することで調整可能である。即ち、雄ねじ部２２へのナット２３の締めしろを大きくすればスツール１８全体を天井板７に接近することができ、締めしろを小さくすればスツール１８全体を天井板７から離間することができる。本実施形態では、このように雄ねじ部２２に対するナット２３の締めしろを調整して、スツール１８に生じた破損部の割れができるだけ閉塞されるようにスツール１８を修繕する。なお、天井板７の上部に貫通した雄ねじ部２２が碍管室８内の碍子９などと干渉しないように、連結杆部２１を施工現場で適宜に変形してもよい。
【００１９】
また、本実施形態では、天井板７の上面とナット２３との間に鋼製方形の敷き板２４を介装し、天井板７に係る応力が分散されるようにしている。また、本実施形態では、雄ねじ部２２の天井板７より下方にもナット２３を螺合し、前記天井板７より上部で雄ねじ部２２に螺合したナット２３とで天井板７を締め付けている。これにより、スツール１８の天井板７への固定性能がより一層向上する。更に、本実施形態では、天井板７の下面とナット２３との間にも鋼製方形の敷き板２４を介装し、天井板７に係る応力が分散されるようにしている。
【００２０】
また、本実施形態では、フック部２０とスツール１８の下端部とを溶接などにより一体的に固着している。スツール１８はケーシング６の天井板７に直接接触しているから、いわゆる接地されている。常時は、スツール１８は内部の吊りロッド１２との間に絶縁距離が保たれているが、破損したスツール１８は絶縁距離が保たれなくなり、短くなった両者の間で放電が生じる。このスツール修繕部材１９のフック部２０とスツール１８の下端部を一体的に固着することにより、両者間の放電を回避することができる。
【００２１】
図７は、従来のスツール修繕部材及びスツール修繕方法を示す正面図、図８は、図７のスツール修繕部材及びスツール修繕方法の平面図である。従来も、破損したスツール１８の下端部を引っ掛けてケーシング６の天井板７に吊り下げる。そのため、従来のスツール修繕部材１１９も、スツール１８の下端部を引っ掛けるフック部１２０と、そのフック部１２０を天井板７に連結する連結杆部１２１を備える。この連結杆部１２１と天井板７との連結は、例えばアングル材などからなる接合部材１２２を用いて行われる。具体的には、連結杆部１２１の上端部を接合部材１２２に溶接で固着し、その接合部材１２２を天井板７に溶接で固着する。修繕作業は、ケーシング６の内部、つまり煙道内から行うので、図７の天井板７は煙道の天井部にあり、接合部材１２２と天井板７の溶接作業は、いわゆる上向き溶接であり、作業そのものが困難な上に、溶接による修繕部材、即ちスツールの固定性能も低い。
【００２２】
このように本実施形態の電気集塵装置のスツール修繕部材では、スツール１８の下端部を引っ掛けるフック部２０、フック部２０を天井板７に連結する連結杆部２１、連結杆部２１の天井板７側端部に設けられて天井板７を貫通する雄ねじ部２２を備える。そのため、本実施形態の電気集塵装置のスツール修繕方法では、スツール１８の周囲で天井板７に貫通穴を形成し、フック部２０をスツール１８の下端部に引っ掛けた状態で貫通穴に雄ねじ部２２を貫通し、その貫通した雄ねじ部２２の天井板７より上部にナット２３を螺合することにより、スツール１８を天井板７に吊り下げることができる。その際、雄ねじ部２２に螺合するナット２３の位置を調整すれば、スツール１８の下端部の高さを調整することができるので、所望する固定強度でスツール１８を天井板７に固定することができる。そのため、スツール修繕作業の作業性が向上し、しかもスツール固定性能も優れる。
【００２３】
また、雄ねじ部２２の天井板７より下方にもナット２３を螺合し、天井板７より上部で雄ねじ部２２に螺合したナット２３とで天井板７を締め付ける。これにより、スツール固定性能がより一層向上する。
また、フック部２０とスツール１８の下端部とを一体的に固着した。破損したスツール１８は、内部の放電極吊りロッド１２によって帯電し、修繕部材１９のフック部２０とスツール１８の下端部との間に隙間が生じると、両者の間で放電が生じる。修繕部材１９のフック部２０とスツール１８の下端部を一体的に固着することにより、両者間の放電を回避することができる。
【００２４】
なお、前記実施形態では、電気集塵装置に接続される被処理ガス処理設備が火力発電機である場合についてのみ詳述したが、本発明のスツール修繕部材及びスツール修繕方法は、あらゆる設備に接続された電気集塵装置に適用可能である。また、前記実施形態では、被処理ガスの入口側及び出口側の夫々に電気集塵区を有する電気集塵装置について説明したが、電気集塵区の配置状態は、これに限定されるものではなく、本発明のスツール修繕部材及びスツール修繕方法は、あらゆるタイプの電気集塵装置に適用可能である。
【符号の説明】
【００２５】
１は電気集塵装置
２は入口煙道
３は出口煙道
４は一次側電気集塵区
５は二次側電気集塵区
６はケーシング
７は天井板
８は碍管室
９は碍子
１０は放電極
１１は集塵曲
１２は吊りロッド
１３は保護パッキン
１４は円穴
１５は碍子カバー
１６はナット
１７は通気穴
１８はスツール
１９はスツール修繕部材
２０はフック部
２１は連結杆部
２２は雄ねじ部
２３はナット
２４は敷き板
【要約】
【課題】修繕作業の作業性を改善すると共にスツールの固定性能の高い電気集塵装置のスツール修繕部材及びスツール修繕方法を提供する。
【解決手段】修繕部材１９には、スツール１８の下端部を引っ掛けるフック部２０、フック部２０を天井板７に連結する連結杆部２１、連結杆部２１の天井板７側端部に設けられた雄ねじ部２２を備える。スツール１８を修繕する場合は、スツール１８の周囲で天井板７に貫通穴を形成し、フック部２０をスツール１８の下端部に引っ掛けた状態で貫通穴に雄ねじ部２２を貫通し、その貫通した雄ねじ部２２の天井板７より上部にナット２３を螺合する。ナット２３の位置を調整すれば、スツール１８の下端部の高さを調整することができ、所望する固定強度でスツール１８を天井板７に固定することができる。
【選択図】図５【図１】
0005468688.tif 000002
【図２】
0005468688.tif 000003
【図３】
0005468688.tif 000004
【図４】
0005468688.tif 000005
【図５】
0005468688.tif 000006
【図６】
0005468688.tif 000007
【図７】
0005468688.tif 000008
【図８】
0005468688.tif 000009